(57)【特許請求の範囲】
【請求項１】
凹部と、前記凹部より外方側であって且つ前記凹部の上面より高い位置に上面が設けられた縁部と、を有する硬質の基材層と、
前記凹部内に収容された弾性変形可能なクッション材と、前記凹部を覆うように前記クッション材の上に積層されると共に、前記クッション材を介さずに前記縁部の上面に積層される可撓性と耐水性を有する表面材と、を有するクッション層と、
前記表面材における前記縁部の上に積層された部分の上に設けられた、壁パネルが載置される壁載せ部と、
前記壁パネルと前記表面材との間に形成される隙間をシーリング材で水密的にシールするシール部と、
を備えたことを特徴とする浴室用洗い場床。
【請求項２】
前記シール部は、前記表面材上における前記凹部より外方側に設けたことを特徴とする請求項１記載の浴室用洗い場床。
【請求項３】
前記表面材は、前記クッション材よりもクッション性の小さい材料から形成されていることを特徴とする請求項１または２に記載の浴室用洗い場床。
【請求項４】
前記基材層の一体成形により、前記凹部と前記縁部とが一体に形成されたことを特徴とする請求項１〜３のいずれか１つに記載の浴室用洗い場床。
【請求項５】
前記基材層はフラットな上面部を有し、
前記縁部は、前記上面部の上に設けられ前記上面部とは別体の硬質な縁部材であることを特徴とする請求項１〜３のいずれか１つに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ（Fiber Reinforced Plastic）からなる基材と、発泡層と、軟質材からなる表面層とを順に積層し一体化した浴室洗い場床が開示されている。また、特許文献２には、ゴム弾性体の内部に液収容空所を形成してなるクッション材を固定状態に設置した上、液収容空所に、水、湯等の液を収容して洗い場床を構築した構造が開示されている。
【特許文献１】特開２００１−２４５８１４号公報
【特許文献２】特開平９−１２２０２８号公報
【発明の開示】
【発明が解決しようとする課題】
【０００３】
一般に、クッション層は荷重を支えるのに十分な強度を確保しにくく、クッション層とは別に、荷重を支えるための強度を担保する基材が必要となる。その場合、基材とクッション層との間に水が浸入すると、クッション層が濡れてクッション性が悪化したり、カビが発生するおそれがあるため、クッション層の周縁部をシリコンや目地などのシーリング材で水密にシールすることが必要となる。
【０００４】
また、浴室壁パネルと洗い場床との境界部分にも、壁パネルの裏側に水が浸入しないように（浴室ユニット外への漏水を防ぐために）、シリコンや目地などのシーリング材で水密性を確保する必要がある。
【０００５】
このように、浴室の洗い場床上にクッション層を設けると、シール部が２箇所必要になる。シール部は、意匠性を損ねたり、シリコンが切れたり、目地が外れたりする問題が懸念されるため、極力、少なくすることが求められる。
【０００６】
本発明は上述の問題に鑑みてなされ、洗い場床に柔らかさを付与しつつ、且つ、シール部が１箇所で済む浴室用洗い場床を提供する。
【課題を解決するための手段】
【０００７】
本発明の一態様によれば、凹部と、前記凹部より外方側であって且つ前記凹部の上面より高い位置に上面が設けられた縁部と、を有する硬質の基材層と、前記凹部内に収容された弾性変形可能なクッション材と、前記凹部を覆うように前記クッション材の上に積層されると共に、前記クッション材を介さずに前記縁部の上面に積層される可撓性と耐水性を有する表面材と、を有するクッション層と、前記表面材における前記縁部の上に積層された部分の上に設けられた、壁パネルが載置される壁載せ部と、前記壁パネルと前記表面材との間に形成される隙間をシーリング材で水密的にシールするシール部と、を備えたことを特徴とする浴室用洗い場床が提供される。
【発明の効果】
【０００８】
本発明によれば、洗い場床に柔らかさを付与しつつ、且つ、シール部が１箇所で済む浴室用洗い場床が提供される。
【発明を実施するための最良の形態】
【０００９】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１０】
したがって、発泡体を洗い場床におけるクッション材として設けた場合、浴室内側に露出する表面には、耐水性や耐薬品性などのユニットバスの基本性能を満足する材料からなる表面材が別途必要になる。クッション材の表面側にそのような表面材を積層した構造においては、使用者は表面材に触れることになるがその使用者にクッション材の機能（柔らかさ）を感じさせるようにするため、表面材には可撓性が求められる。ここで、表面材は薄い層として形成されていることが好ましい。
【００１１】
前述したような特性を満足する表面材やクッション材は荷重を支えるのに十分な強度を確保しにくく、これらとは別に、荷重を支えるための強度が表面材やクッション材よりも大きな基材が必要となる。すなわち、洗い場床に柔らかさを付与しつつ、洗い場床として求められる最低限の基本性能を確保するためには少なくとも基材、クッション材、表面材を組み合わせた構造にすることが望ましい。
【００１２】
［第１の実施形態］
図１は、本発明の第１の実施形態に係る浴室用洗い場床の模式断面図である。
【００１３】
本実施形態に係る洗い場床は、硬質の基材層１と、基材層１の上に積層されたクッション性を有するクッション層３とを備える。
【００１４】
基材層１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００１５】
基材層１には縦断面視で凹状に形成される凹部２が設けられている。凹部２は基材層１の上面視における大部分の面積を占め、凹部２より外方側には凹部２の上面（底面）よりも一段高くされた縁部６が設けられている。
【００１６】
図２は基材層１の模式平面図を示し、基材層１の一部には排水ピット１５が開口形成されている。縁部６は、凹部２の全周（凹部２と排水ピット１５との間も含む）を囲むように設けられている。縁部６よりも外方側であって基材層１の最外縁部には、上方に立ち上がった水返し壁として機能する側壁部８が設けられている。このように、排水ピット１５は縁部６より外方側に形成されており、側壁部８は排水ピット１５の更に外方側に形成されている。
【００１７】
基材層１は硬質材（例えばＦＲＰ）を熱間成型することにより一体成形され、よって、凹部２、縁部６および側壁部８は一体に形成される。
【００１８】
クッション層３は、いずれも基材層１よりも軟質なクッション材４および表面材５から構成される。
【００１９】
クッション材４は、基材層１の凹部２に全体が収容され、凹部２の上面（底面）に例えば両面テープ等の接着剤により接着固定される。クッション材４は、弾性変形可能であり、例えばウレタン等の発泡体からなる。なお、クッション材４は弾性変形可能なゴム材であっても構わないが、ゴム臭のない発泡体の方が気密性の高い浴室の洗い場床として利用するには好ましい。
【００２０】
表面材５は、クッション材４の上面及び凹部２を覆うようにクッション材４及び基材層１の縁部６に積層される。表面材５の平面サイズは、クッション材４の平面サイズより大きく（縦横ともに長く形成されている）、表面材５においてクッション材４からはみ出る部分は、クッション材４を介さずに基材層１の縁部６の上面に積層される。表面材５は、例えば接着剤で、クッション材４の上面及び基材層１の縁部６の上面に接着固定される。
【００２１】
表面材５の平面サイズは、基材層１全体の平面サイズより小さく（縦横ともに短く形成されている）且つ凹部２の平面サイズより大きい（縦横ともに長く形成されている）。表面材５の表面は浴室内に露出し、使用者が触れたり、湯水にさらされる面となる。表面材５は、耐水性、耐薬品性、耐衝撃性などを有すると共に、下層のクッション材４の弾性変形に追従可能な可撓性を有する。表面材５は基材層１よりも軟質ではあるが、クッション材４よりはクッション性（鉛直方向の変形量）が小さく、表面材５は、例えば、基材層１に用いるＦＲＰよりも軟質なＦＲＰを用いることができ、且つクッション材４よりも薄い。
【００２２】
また、図３に示すように、表面材５の表面には排水口または排水流し溝に連続して形成される溝５ｂが形成されている。この溝５ｂは、表面材５の表面上を排水口に向けて流れる湯水の排水流路として機能する。この溝５ｂは、排水口または排水流し溝まで水を途切れることなく連続的に存在させることが可能な排水流路となっている。この溝５ｂによって、翌朝には、洗い場床面上に大きな水玉が残ることなく洗い場床面上を乾燥させることが可能となる。また、表面材５の表面に溝５ｂを形成することで、表面材５の表面に凹凸が形成され、洗い場床面が滑りにくくなる効果も得られる。
【００２３】
基材層１、クッション材４および表面材５の積層構造を得るにあたっては、それらを一体に熱間成型することにより相互に溶着固定させてもよいし（インサート成形）、基材層１の成型加工後に、その凹部２の上面（底面）に対してクッション材４を例えば両面テープ等の接着剤を用いて貼り付け、さらにそのクッション材４の表面に例えば両面テープ等の接着剤を用いて表面材５を貼り付けてもよい。
【００２４】
本実施形態に係る洗い場床はクッション層３を備えるので、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００２５】
表面材５と基材層１との線膨張率が異なると、熱が加わった際に各層の境界面に異なるせん断力が働き、剥がれるおそれがある。特に、洗い場床は、トラック搬送時に約６５℃の環境下に置かれることがあったり、実使用において約４０℃の温水がかかることがある。このように洗い場床というものは、大きな温度変化がある環境下に置かれるものなので、線膨張および線収縮が起きるおそれがあり、対策が必要である。
【００２６】
表面材５と基材層１とが近似した線膨張率の材料で形成されていると、それら間に挟まれて接着されているクッション材４に対してのせん断力はクッション材４の上面と下面側とで略等しくなるため、クッション材４が水平方向に伸縮することで発生する各層境界面での剥がれの可能性を低減できることになる。
【００２７】
ここで、各層の接着力を強力にしておくことで線膨張による剥がれを防止する策も考えられるが、本実施形態によれば、該接着力のみに依存せずに剥がれを防止することができる。具体的に、本実施形態では、表面材５と基材層１はそれぞれ線膨張率の近似した材料を採用することにより、各層の線膨張の違いによる剥がれという不安要素を軽減している。特に、表面材５を、洗い場床材として広く一般に用いられているＦＲＰよりも薄く且つ軟質なＦＲＰにすることで、基材層１を表面材５と同質で従来同様のＦＲＰを利用することができるため好ましい。尚、軟質のＦＲＰは、親水素材となるため、洗い場床面上の排水性にとっても有利である。
【００２８】
表面材５における、基材層縁部６の上に積層された部分は、浴室の壁パネル５０が載置される壁載せ部５ａとして機能する。すなわち、壁パネル５０は、間に表面材５を挟んで基材層１の縁部６の上に設置される。
【００２９】
壁パネル５０と表面材５との境界部には、それら間に形成される隙間を、例えばシリコンや目地部材等のシーリング材１１で水密的にシールするシール部１０が設けられている。また、このシーリング材１１によって、クッション層３と基材層１との間に水が浸入することも防止される。すなわち、シーリング材１１は、壁パネル５０とクッション層３との間、およびクッション層３と基材層１との間を兼用して水密的にシールする。
【００３０】
すなわち、１箇所のシール部１０だけで、壁パネル５０の裏側に水が浸入しないようにして浴室ユニット外への漏水を防ぐことができ、且つ、基材層１とクッション層３との間への水の浸入を防いで、クッション層３が濡れてクッション性が悪化したり、カビが発生したりすることを防止できる。
【００３１】
シーリング材１１は、浴室全体の意匠性を損ねてしまうという問題と、シーリング材１１にカビなどの汚れが付着して意匠性を損ねてしまうという問題と、シリコンが切れたり、目地部材が外れたりするという問題があるため、極力、少なくすることが求められる。
【００３２】
本実施形態では、壁パネル５０が表面材５の上に載置される構造となっている。このため、表面材５と基材層１との境界が浴室内に露出しない。なおかつ、前述したように、表面材５と基材層１との境界に別途止水処理を施さなくても、壁パネル５０と表面材５との間をシールするシーリング材１１で表面材５と基材層１との間のシールも兼用するためシーリング材１１が１個で済み、表面材５と基材層１との境界が浴室内に露出しないことも相俟って、見栄えを損ねず商品価値を高めることができる。
【００３３】
また、シーリング材１１は、凹部２より外方側の、表面材５における周縁部近傍に設けられている。このシーリング材１１が設けられた部分の表面材５は、クッション材４を介さずに硬質の基材層１の縁部６に接着固定さているため、その部分に荷重がかかっても厚さ方向（鉛直方向）に大きく撓むことがなく、また撓むことがないため、撓んだ（沈み込んだ）状態から上方に大きく復元することもない。すなわち、シール部１０の下の表面材５が上下に大きく変動することがない。したがって、その部分に設けられたシーリング材１１を引っ張ったり、浮き上がらせるような大きな応力が作用せず、シーリング材１１が切れたり、外れたりすることがない。この結果、シール性及び見栄えを損ねない。
【００３４】
なお、洗い場床のクッション性はクッション材４がほとんどを担い、表面材５は耐水性や肌接触に対する柔らかさ、意匠などを担うため荷重が作用してもクッション材４ほどに大きく沈むことがない。壁パネル５０が載置される壁載せ部５ａとして機能する表面材５の周縁部はクッション材４を介さずに基材層１の縁部６の上に直接接着固定され、クッション材４には壁パネル５０の荷重が加わらないので、クッション材４の弾性変形（沈み込み）によって壁パネル５０が傾いたり、クッション材４の復元力が壁パネル５０に作用することがない。これにより、壁パネル５０及びその上の天井パネルを基材層１上に安定して支えることができ、壁パネル５０間あるいは壁パネル５０と他の部材間のジョイント部分に不所望の隙間が生じることを防いで浴室内の防水性を安定して確保できる。
【００３５】
［第２の実施形態］
図４は、本発明の第２の実施形態に係る浴室用洗い場床の模式断面図である。
【００３６】
本実施形態に係る洗い場床も、硬質の基材層２１と、基材層２１の上に積層されたクッション性を有するクッション層３とを備える。本実施形態では、クッション層３は前述した第１の実施形態と同様に構成されるが、基材層２１が第１の実施形態と異なる。
【００３７】
基材層２１は、浴室外に湯水を漏出させない防水性、および壁パネル５０、天井パネル、風呂椅子、洗面器などの静荷重、使用者の動荷重を受けても撓んだり破損しない十分な強度を有し、例えば、ＦＲＰ（Fiber Reinforced Plastic）等の熱硬化性樹脂、あるいはポリプロピレン、ポリエチレン等の熱可塑性樹脂に補強を施したものから形成されている。
【００３８】
基材層２１は、浅底パン状の基材部２２と、この基材部２２の上面部（底面部）２２ａ上に、基材部２２とは別体として設けられた縁部材２３とを有する。この縁部材２３は、上記第１の実施形態における縁部６に対応し、縁部材２３はクッション層３よりも硬質な材料からなる。また、基材部２２の最外縁部には、上方に立ち上がった水返し壁として機能する側壁部２４が設けられている。基材部２２の上面部２２ａの上面はフラットに形成され、その上面における側壁部２４近傍の縁部に、縁部材２３が接着固定または溶着固定されている。
【００３９】
縁部材２３の内側に凹部２５が設けられている。縁部材２３は凹部２５の側壁として機能し、縁部材２３の上面は、凹部２５の上面（底面）よりも一段高くされている。
【００４０】
クッション層３におけるクッション材４は、凹部２５に全体が収容され、凹部２５の上面（底面）に例えば両面テープ等の接着剤により接着固定される。
【００４１】
表面材５は、クッション材４の上面及び凹部２を覆うようにクッション材４及び縁部材２３に積層される。表面材５においてクッション材４からはみ出る部分は、クッション材４を介さずに縁部材２３の上面に積層される。表面材５は、例えば接着剤で、クッション材４の上面及び縁部材２３の上面に接着固定される。
【００４２】
表面材５における、縁部材２３の上に積層された部分は、浴室の壁パネル５０が載置される壁載せ部５ａとして機能する。すなわち、壁パネル５０は、間に表面材５を挟んで縁部材２３の上に設置される。
【００４３】
壁パネル５０と表面材５との境界部には、それら間に形成される隙間を、例えばシリコンや目地部材等のシーリング材１１で水密的にシールするシール部１０が設けられている。また、このシーリング材１１によって、クッション層３と基材層１との間に水が浸入することも防止される。すなわち、シーリング材１１は、壁パネル５０とクッション層３との間、およびクッション層３と基材層１との間を兼用して水密的にシールする。
【００４４】
本実施形態においても、壁パネル５０が表面材５の上に載置される構造となっている。このため、表面材５と基材層１（の縁部材２３）との境界が浴室内に露出しない。なおかつ、前述したように、表面材５と基材層１との境界に別途止水処理を施さなくても、壁パネル５０と表面材５との間をシールするシーリング材１１で表面材５と基材層１との間のシールも兼用するためシーリング材１１が１個で済み、表面材５と基材層１との境界が浴室内に露出しないことも相俟って、見栄えを損ねず商品価値を高めることができる。
【００４５】
また、シーリング材１１は、凹部２より外方側の、表面材５における周縁部近傍に設けられている。このシーリング材１１が設けられた部分の表面材５は、クッション材４を介さずに硬質の縁部材２３に接着固定さているため、その部分に荷重がかかっても厚さ方向（鉛直方向）に大きく撓むことがなく、また撓むことがないため、撓んだ（沈み込んだ）状態から上方に大きく復元することもない。すなわち、シール部１０の下の表面材５が上下に大きく変動することがない。したがって、その部分に設けられたシーリング材１１を引っ張ったり、浮き上がらせるような大きな応力が作用せず、シーリング材１１が切れたり、外れたりすることがない。この結果、シール性及び見栄えを損ねない。
【００４６】
また、本実施形態では、第１の実施形態の基材層１のように上面部（底面部）と一体に縁部に段を設けた構造ではなく、シンプルな浅底パン形状の基材部２２に対して別体で縁部材２３を設けた構造であるため、既存の浴室ユニットを解体して洗い場床を交換することなく、既存の洗い場床パンをそのまま流用でき、容易に本実施形態の構造を適用可能である。
【図面の簡単な説明】
【００４７】
【図１】本発明の第１の実施形態に係る浴室用洗い場床の模式断面図。
【図２】図１に示す洗い場床における基材層の模式平面図。
【図３】本発明の実施形態に係る洗い場床における表面材表面の拡大図。
【図４】本発明の第２の実施形態に係る浴室用洗い場床の模式断面図。
【符号の説明】
【００４８】
１…基材層、２…凹部、３…クッション層、４…クッション材、５…表面材、６…基材層の縁部、５ａ…壁載せ部、１０…シール部、１１…シーリング材、２１…基材層、２３…縁部材、２５…凹部、３０…シール部、３１…シーリング材、５０…壁パネル
【図１】
0005099340.tif 000002
【図２】
0005099340.tif 000003
【図３】
0005099340.tif 000004
【図４】
0005099340.tif 000005